(57)【要約】      （修正有）【課題】本発明は、タワー水におけるレジオネラ菌の繁殖を防止できる空調機を提供する。【解決手段】空調機は、排水を実行する排水装置と、給水を実行する給水装置と、コントローラとを備えており、排水及び給水は、タワー水回路２内のタワー水を全体的に入れ換えるように実行され、排水は、保水時間が第１保水時間Ａ以上になっており且つ冷媒回路が冷房運転を実行していない場合に、又は保水時間が第２保水時間Ｂ以上になっている場合に、実行され、給水は、排水の実行後に実行され、給水が完了すると、コントローラは保水時間をリセットし、第２保水時間Ｂは第１保水時間Ａよりも長い。【選択図】図６
2013178022.tif 000002
【特許請求の範囲】
【請求項１】
クーリングタワーを有する空調機において、
前記クーリングタワーを備えるタワー水回路と、
空調運転を実行する冷媒回路と、
前記タワー水回路を流れるタワー水と前記冷媒回路を流れる冷媒との間で熱交換を行うタワー水−冷媒熱交換器と、
前記タワー水が前記タワー水回路に保持されている時間である保水時間を計測する計測装置と、
前記タワー水回路から前記タワー水を排出することである排水を実行する排水装置と、
前記タワー水回路に前記タワー水を供給することである給水を実行する給水装置と、
前記排水装置に前記排水を実行させると共に、前記給水装置に前記給水を実行させる第１制御装置と、を備えており、
前記排水及び前記給水は、前記タワー水回路内のタワー水を全体的に入れ換えるように実行され、
前記排水は、前記保水時間が第１保水時間以上になっており且つ前記冷媒回路が冷房運転を実行していない場合に、又は前記保水時間が第２保水時間以上になっている場合に、実行され、
前記給水は、前記排水の実行後に実行され、
前記給水が完了すると、前記計測装置は前記保水時間をリセットし、
前記第２保水時間は前記第１保水時間よりも長い、ことを特徴とする空調機。
【請求項２】
外気温度を検出する外気温度検出器及び／又は日時を認識する時計を更に備えており、
前記日時が所定の第１日時になる、又は前記外気温度が第１外気温度未満になると、前記排水のみが実行され且つ前記給水の実行が保留され、
前記日時が所定の第２日時になる、又は前記外気温度が第２外気温度以上になると、前記給水が実行され、
前記第１日時及び前記第１外気温度は、前記冷房運転が行われない時期における日時及び外気温度として設定されており、
前記第２日時及び前記第２外気温度は、前記冷房運転が行われる時期における日時及び外気温度として設定されている、空調機。
【請求項３】
冷房負荷率が所定冷房負荷率よりも大きいときは、前記保水時間が前記第２保水時間以上になるまで前記排水の実行が待機される、請求項１に記載の空調機。
【請求項４】
前記タワー水の水温度を検出する水温度検出器を更に備えており、
前記水温度が所定水温度未満であるときは、前記計測装置は前記保水時間の計測を中断する、請求項１に記載の空調機。
【請求項５】
前記クーリングタワーにより前記タワー水を冷却する冷却運転を、前記タワー水回路に実行させ且つ停止させる第２制御装置を更に備えており、
前記排水の実行中に前記冷房運転を実行するように前記第２制御装置が指令された場合、前記給水が完了するまで前記冷却運転の実行が待機され、前記給水の完了後に前記冷却運転が実行される、請求項１に記載の空調機。
【発明の詳細な説明】
【技術分野】
【０００１】
本発明は、クーリングタワーを有する空調機に関する。
【背景技術】
【０００２】
特許文献１は、クーリングタワーにより冷媒回路の冷媒を冷却する装置を開示している。特許文献１に開示される冷却装置は、クーリングタワー（１）、冷媒回路である圧縮式チラー（７）、及び冷却水を必要とするシステム（２５）を備えている。圧縮式チラー（７）を流れる冷媒は、クーリングタワー（１）によって冷却される。
【先行技術文献】
【特許文献】
【０００３】
【特許文献１】特開平５−１２６４１８号公報
【発明の概要】
【発明が解決しようとする課題】
【０００４】
開放型のクーリングタワーでは、クーリングタワーを流れる水が外気に接触している。このため、クーリングタワーのタワー水にレジオネラ菌が繁殖する虞がある。しかし、特許文献１は、タワー水にレジオネラ菌の繁殖を防止できる構成を開示していない。
【課題を解決するための手段】
【０００５】
本発明に係る空調機は、クーリングタワーを有する空調機において、前記クーリングタワーを備えるタワー水回路と、空調運転を実行する冷媒回路と、前記タワー水回路を流れるタワー水と前記冷媒回路を流れる冷媒との間で熱交換を行うタワー水−冷媒熱交換器と、前記タワー水が前記タワー水回路に保持されている時間である保水時間を計測する計測装置と、前記タワー水回路から前記タワー水を排出することである排水を実行する排水装置と、前記タワー水回路に前記タワー水を供給することである給水を実行する給水装置と、前記排水装置に前記排水を実行させると共に、前記給水装置に前記給水を実行させる第１制御装置と、を備えており、前記排水及び前記給水は、前記タワー水回路内のタワー水を全体的に入れ換えるように実行され、前記排水は、前記保水時間が第１保水時間以上になっており且つ前記冷媒回路が冷房運転を実行していない場合に、又は前記保水時間が第２保水時間以上になっている場合に、実行され、前記給水は、前記排水の実行後に実行され、前記給水が完了すると、前記計測装置は前記保水時間をリセットし、前記第２保水時間は前記第１保水時間よりも長い、ことを特徴とする。
【０００６】
前記空調機は、外気温度を検出する外気温度検出器及び／又は日時を認識する時計を更に備えており、前記日時が所定の第１日時になる、又は前記外気温度が第１外気温度未満になると、前記排水のみが実行され且つ前記給水の実行が保留され、前記日時が所定の第２日時になる、又は前記外気温度が第２外気温度以上になると、前記給水が実行され、前記第１日時及び前記第１外気温度は、前記冷房運転が行われない時期における日時及び外気温度として設定されており、前記第２日時及び前記第２外気温度は、前記冷房運転が行われる時期における日時及び外気温度として設定されている。
【０００７】
前記空調機において、冷房負荷率が所定冷房負荷率よりも大きいときは、前記保水時間が前記第２保水時間以上になるまで前記排水の実行が待機される。
【０００８】
前記空調機は、前記タワー水の水温度を検出する水温度検出器を更に備えており、前記水温度が所定水温度未満であるときは、前記計測装置は前記保水時間の計測を中断する。
【０００９】
前記空調機は、前記クーリングタワーにより前記タワー水を冷却する冷却運転を、前記タワー水回路に実行させ且つ停止させる第２制御装置を更に備えており、前記排水の実行中に前記冷房運転を実行するように前記第２制御装置が指令された場合、前記給水が完了するまで前記冷却運転の実行が待機され、前記給水の完了後に前記冷却運転が実行される。
【発明の効果】
【００１０】
本発明に係る空調機は、クーリングタワーのタワー水を入れ換えることにより、タワー水におけるレジオネラ菌の繁殖を防止できる。
【図面の簡単な説明】
【００１１】
【図１】図１は、空調機のブロック図である。
【図２】図２は、冷房運転、冷却運転、及び放熱運転における、冷媒、タワー水、及び冷却水の流れを示す空調機のブロック図である。
【図３】図３は、暖房運転、冷却運転の停止、及び熱回収運転における、冷媒、タワー水、及び冷却水の流れを示す空調機のブロック図である。
【図４】図４は、排水装置及び給水装置の構成図である。
【図５】図５は、排水及び給水のフローで用いられている各種の変数及び定数を示す表である。
【図６】図６は、基本フローを示すフロー図である。
【図７】図７は、冷房運転のオプションフローを示すフロー図である。
【図８】図８は、空調負荷のオプションフローを示すフロー図である。
【図９】図９は、寒冷時のオプションフローを示すフロー図である。
【図１０】図１０は、温暖時のオプションフローを示すフロー図である。
【図１１】図１１は、保水時間の支援フローを示すフロー図である。
【図１２】図１２は、冷却運転の支援フローを示すフロー図である。
【図１３】図１３は、排水装置及び給水装置の構成図である。
【発明を実施するための形態】
【００１２】
（第１実施形態の構成）
図１−１２を参照して、第１実施形態に係る空調機を説明する。
【００１３】
図１は、空調機のブロック図である。空調機は、冷媒回路１、タワー水回路２、冷却水回路３、タワー水−冷媒熱交換器（ＴＲ熱交換器）４、及び冷媒−冷却水熱交換器（ＲＥ熱交換器）５を備えている。冷媒回路１は、冷媒を循環させるヒートポンプである。タワー水回路２はタワー水を冷却するクーリングタワー７を備えており、タワー水はタワー水回路２を循環する。冷却水回路３には、エンジン３５の冷却水が循環する。ＴＲ熱交換器４は、タワー水と冷媒との間で熱交換を行う。ＲＥ熱交換器５は、冷媒と冷却水との間で熱交換を行う。
【００１４】
冷媒回路１は、配管又は配管群から構成された、主経路１０、ＴＲバイパス経路１１、及びＲＥ経路１２を備えている。主経路１０はループを描いている。ＴＲバイパス経路１１及びＲＥ経路１２は、主経路１０の一部を迂回する。接続部１１ａ及び接続部１１ｂは、ＴＲバイパス経路１１の両端が主経路１０に接続する部分を指している。接続部１２ａ及び接続部１２ｂは、ＲＥ経路１２の両端が主経路１０に接続する部分を指している。冷媒回路１は、主経路１０に沿って配置された、圧縮機１３、室外熱交換器１４、第１膨張弁１５、及び室内熱交換器１６を備えている。室外熱交換器１４は室外ファン１４ａを備えており、室内熱交換器１６は室内ファン１６ａを備えている。冷媒回路１は、ＴＲバイパス経路１１に沿って配置された弁１７を備えている。ＴＲ熱交換器４は、主経路１０に沿って配置されており、接続部１１ａと接続部１１ｂとの間に位置する。このため、ＴＲバイパス経路１１はＴＲ熱交換器４を迂回する。冷媒回路１は、ＲＥ経路１２に沿って配置された第２膨張弁１８を備えている。ＲＥ熱交換器５は、ＲＥ経路１２に沿って配置されており、第２膨張弁１８と接続部１２ｂとの間に位置する。
【００１５】
主経路１０は、切換機構１９を備えている。切換機構１９は、切換機構１９から主経路１０に流れる冷媒の流れ方向を、冷房方向Ｄ１４又は暖房方向Ｄ１６に切り換える。切換機構１９は、四方弁１９ａ及び配管群を用いて構成されている。
【００１６】
弁１７は、冷媒が流れる経路を、ＴＲバイパス経路１１及び主経路１０の双方、又は主経路１０に切り換える。弁１７が閉じられているとき、冷媒は主経路１０を流れる。弁１７が開かれているとき、大部分の冷媒はＴＲバイパス経路１１を流れ、残りの一部の冷媒は主経路１０を流れる。
【００１７】
第１膨張弁１５及び第２膨張弁１８は、冷媒が流れる経路を、主経路１０及びＲＥ経路１２の双方、又は主経路１０に切り換える。第１膨張弁１５が開かれ且つ第２膨張弁が完全に閉じられているとき、冷媒は、主経路１０を流れる。第１膨張弁１５及び第２膨張弁の双方が開かれているとき、冷媒は、ＲＥ経路１２及び主経路１０の双方を流れる。ここで、冷媒が主経路１０を流れる場合は、冷媒が弁１７の開閉に応じてＴＲバイパス経路１１を流れる場合を含んでいる。
【００１８】
タワー水回路２は、配管又は配管群から構成された主経路２０を備えている。タワー水回路２は、主経路２０に沿って配置された、水槽２１、タワー水ポンプ２２、散水器２３、及び充填剤２４を備えている。ここで、ＴＲ熱交換器４は、主経路２０に沿って配置されており、タワー水ポンプ２２と散水器２３との間に位置する。また、ＴＥ熱交換器６は、主経路２０に沿って配置されており、水槽２１内に位置する。クーリングタワー７は、水槽２１、散水器２３、及び充填剤２４によって構成されている。
【００１９】
タワー水回路２は、水槽２１内に配置された水温センサ（水温度検出器）２５を備えている。水温センサ２５は、水槽２１内のタワー水の水温度を検出する。
【００２０】
冷却水回路３は、配管又は配管群から構成された、主経路３０、戻し経路３１、及びＲＥ経路３２を備えている。主経路３０はループを描いている。戻し経路３１及びＲＥ経路３２は、主経路３０の一部を迂回する。冷却水回路３は、主経路３０に沿って配置された、冷却水ポンプ３４、エンジン３５、サーモスタットバルブ３６、第１三方弁３７、及びラジエータ３９を備えている。サーモスタットバルブ３６及び接続部３１ａは、戻し経路３１の両端が主経路３０に接続する部分を指している。第１三方弁３７及び接続部３２ａは、ＲＥ経路３２の両端が主経路３０に接続する部分を指している。
【００２１】
冷却水回路３は、エンジン３５とサーモスタットバルブ３６との間で主経路３０上に配置された水温センサ９を備えている。水温センサ９は冷却水の水温度を検出する。サーモスタットバルブ３６は、冷却水の水温度に基づいて、冷却水が流れる経路を、戻し経路３１又は主経路３０に切り換える。冷却水の水温度が所定冷却水温度未満である場合、戻し経路３１が選択され、冷却水は戻し経路３１を流れる。このとき冷却水は、エンジン３５とサーモスタットバルブ３６との間を循環する。冷却水の水温度が所定冷却水温度以上である場合、主経路３０が選択され、冷却水はサーモスタットバルブ３６から主経路３０に沿って流れる。
【００２２】
第１三方弁３７は、冷却水が流れる経路を、ＲＥ経路３２又は主経路３０に切り換える。ＲＥ経路３２が選択されているとき、冷却水はＲＥ経路３２を流れる。主経路３０が選択されているとき、冷却水は第１三方弁３７から主経路３０に沿って流れる。
【００２３】
空調機は、冷媒回路１、タワー水回路２、及び冷却水回路３を制御するコントローラ５０を備えている。コントローラ５０は、具体的には、圧縮機１３、室外ファン１４ａ、弁１７、第１膨張弁１５、室内ファン１６ａ、第２膨張弁１８、四方弁１９ａ、タワー水ポンプ２２、冷却水ポンプ３４、エンジン３５、及び第１三方弁３７を制御する。
【００２４】
空調機は、操作装置５１を備えている。ユーザーは、操作装置５１を用いて、空調機を操作するための指令をコントローラ５０に入力する。
【００２５】
空調機は、外気温度を検出する気温センサ（外気温度検出器）８を備えている。
【００２６】
コントローラ５０は、日時を認識する時計としての機能を有している。
【００２７】
図２、３を参照して、空調機の運転を説明する。コントローラ５０は、冷媒回路１、タワー水回路２、及び冷却水回路３に、対応する運転を実行させる。冷媒回路１は、空調運転を実行する。空調運転は、冷房運転及び暖房運転を含んでいる。タワー水回路２は、冷却運転を実行する。冷却水回路３は、放熱運転又は熱回収運転を実行する。
【００２８】
冷媒回路１、タワー水回路２、及び冷却水回路３は、次の２つの組合せの運転のいずれか１つを実行する。第１の組合せは、冷房運転、冷却運転、及び放熱運転である。第２の組合せは、暖房運転、冷却運転の停止、及び熱回収運転である。コントローラ５０は、空調機の運転に応じて、冷媒回路１を流れる冷媒の流れ、タワー水回路２を流れるタワー水の流れ、冷却水回路３を流れる冷却水の流れを変更する。具体的には、コントローラ５０は、弁１７、第１膨張弁１５、第２膨張弁１８、切換機構１９、タワー水ポンプ２２、及び第１三方弁３７を制御する。
【００２９】
コントローラ５０は、基本的には、空調運転の実行及び停止に伴って、エンジン３５の運転の実行及び停止を決定する。つまり、空調運転のために圧縮機１３を駆動する必要がある場合にのみエンジン３５の運転が実行され、圧縮機１３を駆動する必要がない場合にエンジン３５の運転が停止される。当然ながら、エンジン３５の運転の停止は、冷却水回路３の運転の停止を意味している。また、コントローラ５０（第２制御装置）は、基本的には、冷房運転の実行及び停止に伴って、冷却運転の実行及び停止を決定する。つまり、冷房運転のために冷媒を冷却する必要がある場合にのみ、クーリングタワー７による冷媒の冷却が実行される。
【００３０】
図２は、冷房運転、冷却運転、及び放熱運転における、冷媒、タワー水、及び冷却水の流れを示す空調機のブロック図である。図２において、冷媒回路１は冷房運転を行っており、タワー水回路２は冷却運転を行っており、冷却水回路３は放熱運転を行っている。冷媒回路１における太字は冷房運転における冷媒の流れを示しており、タワー水回路２における太字は冷却運転におけるタワー水の流れを示しており、冷却水回路３における太字は放熱運転における冷却水の流れを示している。
【００３１】
冷房運転において、切換機構１９は冷房方向Ｄ１４を選択しており、第１膨張弁１５及び第２膨張弁１８は主経路１０を選択しており、弁１７は主経路１０を選択している。冷媒は、圧縮機１３から冷房方向Ｄ１４に流され、室外熱交換器１４、ＴＲ熱交換器４、第１膨張弁１５、及び室内熱交換器１６を順に通過し、再び圧縮機１３に戻る。冷房運転において、室外熱交換器１４は凝縮器として機能し、室内熱交換器１６は蒸発器として機能する。
【００３２】
冷却運転において、タワー水は、タワー水ポンプ２２から流され、ＴＲ熱交換器４、散水器２３、充填材２４、及び水槽２１（ＴＥ熱交換器６）を順に通過し、再びタワー水ポンプ２２に戻る。ここで、タワー水は散水器２３から充填材２４に散水され、一部のタワー水が蒸発し、残りのタワー水が充填材２４から水槽２１に落下する。蒸発熱が奪われることにより、タワー水が冷却される。
【００３３】
冷房運転及び冷却運転が実行されているとき、タワー水はクーリングタワー７によって冷却されており、ＴＲ熱交換器４においてタワー水と冷媒との間で熱交換が行われる。このため、冷媒がタワー水によって冷却される。ＴＲ熱交換器４は補助的な凝縮器として機能する。ＴＲ熱交換器４が冷媒回路１における凝縮能力を向上させるため、室内熱交換器１６による冷房能力が向上する。
【００３４】
放熱運転において、第１三方弁３７は主経路３０を選択している。冷却水は、冷却水ポンプ３４から流され、エンジン３５、サーモスタットバルブ３６、第１三方弁３７、及びラジエータ３９を順に通過し、再び冷却水ポンプ３４に戻る。エンジン３５で発生した廃熱は、ラジエータ３９で外気に放出される。
【００３５】
図３は、暖房運転、冷却運転の停止、及び熱回収運転における、冷媒、タワー水、及び冷却水の流れを示す空調機のブロック図である。図３において、冷媒回路１は暖房運転を行っており、タワー水回路２は冷却運転を停止しており、冷却水回路３は熱回収運転を行っている。冷媒回路１における太字は暖房運転における冷媒の流れを示しており、冷却水回路３における太字は熱回収運転における冷却水の流れを示している。冷却運転が停止しているとき、タワー水回路２においてタワー水の流れは停止している。
【００３６】
暖房運転において、切換機構１９は暖房方向Ｄ１６を選択しており、第１膨張弁１５及び第２膨張弁１８は主経路１０及びＲＥ経路１２を選択しており、弁１７は主経路１０及びＴＲバイパス経路１１を選択している。冷媒は、圧縮機１３から暖房方向Ｄ１６に流され、室内熱交換器１６及び第１膨張弁１５を通過し、接続部１１ｂにおいて分岐する。ここで冷媒は、主経路１０に沿ってＴＲ熱交換器４を流れると共に、ＴＲバイパス経路１１に沿って弁１７を流れる。次に冷媒は、接続部１１ａにおいて合流し、接続部１２ａにおいて分岐する。ここで冷媒は、主経路１０に沿って室外熱交換器１４を流れると共に、ＲＥ経路１２に沿って第２膨張弁１８及びＲＥ熱交換器５を流れる。次に冷媒は接続部１２ｂにおいて合流し、再び圧縮機１３に戻る。冷房運転において、室外熱交換器１４は凝縮器として機能し、室内熱交換器１６は蒸発器として機能する。
【００３７】
冷却運転の停止は、タワー水ポンプ２２の駆動を停止することによって行われる。タワー水の流れが停止するので、タワー水はクーリングタワー７及びＴＲ熱交換器４を循環しない。
【００３８】
熱回収運転において、第１三方弁３７はＲＥ経路３２を選択している。冷却水は、冷却水ポンプ３４から流され、エンジン３５、サーモスタットバルブ３６、第１三方弁３７、及びＲＥ熱交換器５を順に通過し、再び冷却水ポンプ３４に戻る。
【００３９】
暖房運転及び熱回収運転が実行されているとき、ＲＥ熱交換器５において、冷却水はエンジン３５の廃熱によって加熱されており、ＲＥ熱交換器５において冷媒と冷却水との間で熱交換が行われる。このため、冷媒が冷却水によって加熱される。ＲＥ熱交換器５は補助的な蒸発器として機能する。ＲＥ熱交換器５が冷媒回路１における蒸発能力を向上させるため、室内熱交換器１６による暖房能力が向上する。
【００４０】
図４は、排水装置６０及び給水装置７０の構成図である。空調機１は、排水を実行する排水装置６０と、給水を実行する給水装置７０とを備えている。排水は、水槽２１（タワー水回路２）からタワー水を排出することを指している。給水は、水槽２１（タワー水回路２）にタワー水を供給することを指している。
【００４１】
図４において、排水装置６０は、排水経路６１、排水継手６２、排水バルブ６３、ストレーナー６４、及びタイマー６５を備えている。排水口２１ａが水槽２１の底面に開口しており、排水口２１ａが排水経路６１の始端に接続されている。ストレーナー６４は排水経路６１の始端に配置されている。排水継手６２は排水経路６１の終端に接続されている。排水継手６２は排水経路６１を別の排水経路に接続する。排水バルブ６３は排水経路６１上に設けられている。
【００４２】
図４において、給水装置７０は、給水経路７１、給水継手７２、給水バルブ７３、及びフロートスイッチ７４を備えている。給水口２１ｂが水槽２１の側面に開口しており、給水口２１ｂが給水経路７１の終端に接続されている。給水継手７２は給水経路７１の始端に接続されている。給水継手７２は別の給水経路を給水経路７１に接続する。給水バルブ７３は給水経路７１上に設けられている。給水経路７１には常時一定の水圧が掛かっており、給水バルブ７３が開放されると水が水槽２１に供給される。フロートスイッチ７４は、水面高さが所定高さＨ以下であるか否かを検出する検出器である。所定高さＨは、水槽２１の底面からの高さを示している。
【００４３】
冷却運転が行われることにより、クーリングタワー７においてタワー水が蒸発し、タワー水が減少する。このため、給水装置７０は随時自動的にタワー水を補給している。具体的には次のようにタワー水の補給が行われている。タワー水の減少により水面高さが所定高さＨよりも低下すると、フロートスイッチ７４は不足信号をコントローラ５０に送信する。コントローラ５０は、不足信号を受信している間、給水指令を給水バルブ７３に送信する。給水バルブ７３は通常給水経路７１を閉鎖しているが、給水指令が入力されている間給水経路７１を開放する。この結果、水面高さが所定高さＨに保たれるように、タワー水が自動的に補給される。
【００４４】
コントローラ５０（第１制御装置）は、排水装置６０に排水を実行させると共に、給水装置７０に給水を実行させる。排水及び給水は、タワー水回路２内のタワー水を全体的に入れ換えるように実行される。つまり、排水は、水槽２１内の全水量が排出されるまで実行される。全水量は、水面高さが所定高さＨにあるときのタワー水の水量である。給水は、排水後に水面高さが所定高さＨを越えるまで実行される。なお、水槽２１の底面は、タワー水回路２において最も低い位置にあり、水槽２１内のタワー水が排出されたとき、タワー水回路２内のタワー水が全体的に排出されている。
【００４５】
排水は次のように行われる。コントローラ５０は排水の実行を決定すると、排水バルブ６３及びタイマー６５に排水指令を送信する。排水バルブ６３は通常排水経路６１を閉鎖しているが、排水指令に基づいて排水経路６１を開放する。タイマー６５は、排水指令に基づいて起動し、時間の計測を開始する。計測された時間が所定の排水時間に到達すると、タイマー６５は完了信号をコントローラ５０に送信する。ここで、排水時間は、水槽２１内の全水量を排出されるのに要する時間以上の時間に設定されている。つまり、排水時間の間排水が実行されると、全水量が確実に排出されたと推定できる。コントローラ５０は完了信号を受信すると、排水指令の送信を停止する。このため、排水が終了すると、排水バルブ６３は再び排水経路６１を閉鎖する。
【００４６】
排水の実行により水面高さが下降する。排水の場合、水面高さの下降に応じて自動的に給水が実行されることは望ましくない。このため、コントローラ５０は、排水の実行が決定されると、フロートスイッチ７４から送信される不足信号を受信しても無視し、給水指令を給水バルブ７３に送信しない。ここで、コントローラ５０は、タイマー６５や排水バルブ６３の作動状態に基づいて、排水の実行中及び排水の完了を認識できる。
【００４７】
給水は次のように行われる。上述したように、排水の実行が決定されると、コントローラ５０は、不足信号を無視する。このため、コントローラ５０は給水の実行を決定すると、不足信号を無視することを取り消す。次に、コントローラ５０は、不足信号が発生している間、給水指令を給水バルブ７３に送信する。給水バルブ７３は給水指令に基づいて、水槽２１に全水量が供給されるまで給水経路７１を開放する。給水が完了すると、不足信号が消失し、コントローラ５０は給水指令を作成しない。このため、給水バルブ７３は再び給水経路７１を閉鎖する。
【００４８】
上述の排水装置６０及び給水装置７０は、水位センサを用いることなく、排水及び給水を実行できる。
【００４９】
図５−１２を参照して、排水及び給水のフローを説明する。
【００５０】
図５は、排水及び給水のフローで用いられている各種の変数及び定数を示す表である。これらの変数及び定数は、図６−１２に示されるフローで用いられている。これらの定数のデフォルト値は、レジオネラ菌の繁殖を防止できる値として設定されている。ユーザーは、操作装置５１を用いて、これらのデフォルト値を任意の値に変更することが可能である。
【００５１】
図６は、基本フローを示すフロー図である。基本フローは単独で、排水及び給水の実行フローを形成する。後述するように、基本フローを他のオプションフローと組み合わせることによって、新たな実行フローを形成することが可能である。
【００５２】
ステップＳ１において処理が開始されると、ステップＳ２が実行される。
【００５３】
ステップＳ２において、コントローラ５０は保水時間が第１保水時間Ａ以上であるか否かを判定する。保水時間は、タワー水がタワー水回路２に保持されている時間である。保水時間は、タワー水の入れ換えが必要であるか否かを判定するための基準として、導入されている。このため、保水時間は、最後に給水が終了してから経過した時間となるように、設定されている。後述のステップＳ４は排水の実行の処理であり、このステップＳ４において、保水時間の計測が一旦停止される。また、後述のステップＳ９は給水の終了後の処理であり、このステップＳ９において、保水時間はリセットされ、０になり、保水時間の計測が再開される。また、ユーザーは操作装置５１を用いて保水時間の現在値を入力できる。例えば、コントローラ５０が初めて起動されたとき、コントローラ５０は前回の給水の終了を認識していないので、このような場合にユーザーは保水時間の現在値を入力する。また、起動時における保水時間の現在値が、例えば０に設定されていても良い。
【００５４】
コントローラ５０は、時間を計測する機能を有しており、保水時間を計測する計測装置として機能できる。コントローラ５０の起動中、コントローラ５０は常時保水時間を計測している。
【００５５】
保水時間が第１保水時間Ａ以上である場合、処理がステップＳ３に進み、保水時間がＡ未満である場合、処理がステップＳ１０に進む。保水時間が第１保水時間Ａ以上である場合は、タワー水の入れ換えが必要な場合を意味している。
【００５６】
ステップＳ３において、コントローラ５０は冷却運転が停止されているか否かを判定する。冷却運転が実行されているとき、タワー水がタワー水回路２を循環する。タワー水の循環中に排水が行われると、タワー水ポンプ２２が故障する虞がある。このため、排水及び給水は、冷却運転が実行されてないときに実行される。ここで、コントローラ５０がタワー水回路２に冷却運転の実行を指令するため、コントローラ５０はタワー水回路２の運転が停止されているか否かを特定できる。
【００５７】
タワー水回路２の運転が停止されている場合、処理がステップＳ４に進み、タワー水回路２の運転が停止されていない場合、処理がステップＳ５に進む。
【００５８】
ステップＳ４において、コントローラ５０は、排水指令を排水装置６０（排水バルブ６３及びタイマー６５）に送信する。排水装置６０は排水指令に基づいて排水を実行する。また、コントローラ５０は、保水時間の計測を停止する。ステップＳ４の次に、ステップＳ６が実行される。
【００５９】
ステップＳ５において、コントローラ５０は保水時間が第２保水時間Ｂ以上であるか否かを判定する。第１保水時間Ａ及び第２保水時間Ｂは、タワー水を入れ換えする必要性の高さに応じて設定されている。このため、第２保水時間Ｂは、第１保水時間Ａよりも長い。
【００６０】
保水時間が第２保水時間Ｂ以上である場合、処理がステップＳ４に進み、保水時間が第２保水時間Ｂ未満である場合、処理がステップＳ１０に進む。
【００６１】
ステップＳ６において、コントローラ５０は排水が完了しているか否かを判定する。排水が完了している場合、処理がステップＳ７に進み、排水が完了していない場合、処理がステップＳ６に戻る。
【００６２】
ステップＳ７において、コントローラ５０は、給水指令を給水装置７０（給水バルブ７３）に送信する。給水装置７０は給水指令に基づいて給水を実行する。ステップＳ７の次に、ステップＳ８が実行される。
【００６３】
ステップＳ８において、コントローラ５０は給水が完了しているか否かを判定する。給水が完了している場合、処理がステップＳ９に進み、給水が完了していない場合、処理がステップＳ８に戻る。
【００６４】
ステップＳ９において、計測装置としてのコントローラ５０は、保水時間をリセットし、０にする。また、コントローラ５０は、保水時間の計測を再開する。ステップＳ９の次に、ステップＳ１０が実行される。
【００６５】
ステップＳ１０において、処理が終了する。ステップＳ１０の次に、再びステップＳ１が実行される。
【００６６】
コントローラ５０の起動中は、以上のように、ステップＳ１−Ｓ１０までの処理が繰り返し実行される。
【００６７】
図７−１０は、図６に示される基本フローに追加されるオプションフロー群を示している。図７−１０のオプションフロー群の一又は複数を図６の基本フローに組み合わせることによって、新たな実行フローが形成される。ここで、実行順序の最下位に基本フローが位置し、基本フローの上位に他のオプションフローが配置される。実行フローの判定開始は、実行フローに含まれる最上位のフローの判定開始であり、実行フローの判定終了は、実行フローに含まれる最下位のフローの判定終了である。最下位のフローの判定終了の次に、最上位のフローの判定開始が実行される。例えば、ある実行フローが、図７のオプションフロー、図８のオプションフロー、及び図６の基本フローの順に配置された三つのフローから形成されている場合を検討する。図７のステップＳ１０１が最上位の判定開始であるため、この実行フローは、ステップＳ１０１から開始される。図７のステップＳ１０３の次に図８のステップＳ２０１が実行され、図８のステップＳ２０３の次に図６のステップＳ１が実行され、図６のステップＳ１０の次に、図７のステップＳ１０１が再び実行される。また、図７のステップＳ１０７及び図８のステップＳ２０６の次に、図７のステップＳ１０１が実行される。
【００６８】
図７は、冷房運転のオプションフローを示すフロー図である。冷房運転のオプションフローに基づいて、コントローラ５０は、冷房運転の実行時以外に、排水を排水装置６０に実行させる。例えば暖房運転が実行されている場合に、排水が実行される。
【００６９】
ステップＳ１０１において処理が開始されると、ステップＳ１０２が実行される。
【００７０】
ステップＳ１０２において、コントローラ５０は、冷房運転が実行されているか否かを判定する。コントローラ５０が冷媒回路１に冷房運転の実行を指令するため、コントローラ５０は冷房運転が実行されているか否かを特定できる。冷房運転が実行されている場合、処理がステップＳ１０３に進み、冷房運転が実行されていない場合、処理がステップＳ１０４に進む。
【００７１】
ステップＳ１０３は、基本フローの判定開始又は他のオプションフローの判定開始への移行を示している。例えば、ステップＳ１０３の次に、図６のステップＳ１が実行される。
【００７２】
ステップＳ１０４において、コントローラ５０は排水指令を排水装置６０に送信する。排水装置６０は排水指令に基づいて排水を実行する。また、コントローラ５０は、保水時間の計測を停止する。ステップＳ１０４の次に、ステップＳ１０５が実行される。
【００７３】
ステップＳ１０５において、コントローラ５０は排水が完了しているか否かを判定する。排水が完了している場合、処理がステップＳ１０６に進み、排水が完了していない場合、処理がステップＳ１０４に戻る。
【００７４】
ステップＳ１０６において、計測装置としてのコントローラ５０は、保水時間をリセットし、０にする。ステップＳ１０６の次に、ステップＳ１０７が実行される。
【００７５】
ステップ１０７において、処理が終了する。ステップＳ１０７の次に最上位のフローの判定開始が実行される。冷房運転のオプションフローが最上位のフローである場合、ステップＳ１０７の次にステップＳ１０１が実行される。
【００７６】
図８は、空調負荷のオプションフローを示すフロー図である。タワー水の入れ換えの実行中、クーリングタワー７が冷媒の冷却に用いられないので、空調能力が低下する。空調負荷のオプションフローに基づいて、コントローラ５０は、空調負荷が高い場合に、排水装置６０及び給水装置７０にタワー水の入れ換えを実行させず、空調能力が低下しないように能力運転を優先する。
【００７７】
ステップＳ２０１において処理が開始されると、ステップＳ２０２が実行される。
【００７８】
ステップＳ２０２において、コントローラ５０は空調負荷率が所定空調負荷率ａ以下であるか否かを判定する。空調負荷率は、最大空調負荷に対する現在の空調負荷の割合である。最大空調負荷は、空調機の定格出力で対応できる負荷を指している。空調機の定格出力は、圧縮機１３の定格出力、室外ファン１４ａの定格出力、タワー水ポンプ２２の定格出力、及び所定の外気温度に基づいて、決定されている。コントローラ５０は、圧縮機１３の現在出力、室外ファン１４ａの現在出力、室内ファン１６ａの現在出力、タワー水ポンプ２２の現在出力を認識しているため、空調負荷を特定できる。冷房運転が実行されている場合、空調負荷及び空調負荷率は、冷房負荷及び冷房負荷率である。
【００７９】
空調負荷率が所定空調負荷率ａ以下である場合、処理がステップＳ２０３に進み、空調負荷率が所定空調負荷率ａより大きい場合、処理がステップＳ２０４に進む。
【００８０】
ステップＳ２０３は、基本フローの判定開始又は他のオプションフローの判定開始への移行を示している。例えば、ステップＳ２０３の次に、図６のステップＳ１が実行される。
【００８１】
ステップＳ２０４において、コントローラ５０は空調運転の優先設定が行われているか否かを判定する。ユーザーは、操作装置５１を用いて、空調運転の優先設定のＯＮ、ＯＦＦを指定できる。空調運転の優先設定が行われている場合、処理がステップＳ２０５に進み、空調運転の優先設定が行われていない場合、処理がステップＳ２０３に進む。
【００８２】
ステップＳ２０５において、コントローラ５０は保水時間が第２保水時間Ｂ以上であるか否かを判定する。保水時間が第２保水時間Ｂ以上である場合、処理がステップＳ２０３に進み、保水時間が第２保水時間Ｂ未満である場合、処理がステップＳ２０６に進む。
【００８３】
ステップ２０６において、処理が終了する。ステップＳ２０６の次に最上位のフローの判定開始が実行される。空調負荷のオプションフローが最上位のフローである場合、ステップＳ２０６の次にステップＳ２０１が実行される。
【００８４】
図９は、寒冷時のオプションフローを示すフロー図である。寒冷時のオプションフローに基づいて、コントローラ５０は、外気温度が第１外気温度γ未満である場合に排水装置６０に排水を実行させる。第１外気温度γは、冷房運転が実行されない時期における外気温度として設定されている。つまり、このフローは、冷房運転が実行されないような寒冷な時期に、不要なタワー水を排出する。
【００８５】
ステップＳ３０１において処理が開始されると、ステップＳ３０２が実行される。
【００８６】
ステップＳ３０２において、コントローラ５０はタワー水回路２内にタワー水があるか否かを判定する。コントローラ５０が排水指令及び給水指令を作成するので、コントローラ５０は、タワー水回路２内にタワー水があるか否かを特定できる。また、コントローラ５０は、フロートスイッチ７４の検出信号に基づいて、タワー水があるか否かを推定できる。タワー水がある場合、処理がステップＳ３０３に進み、タワー水がない場合、処理がステップＳ３０８に進む。
【００８７】
ステップＳ３０３において、コントローラ５０は外気温度が第１外気温度γ以上であるか否かを判定する。気温センサ８が外気温度を検出するため、コントローラ５０は外気温度を特定できる。外気温度が第１外気温度γ以上である場合、処理がステップＳ３０４に進み、外気温度が第１外気温度γ未満である場合、処理がステップＳ３０５に進む。
【００８８】
ステップＳ３０４は、基本フローの判定開始又は他のオプションフローの判定開始への移行を示している。例えば、ステップＳ３０４の次に、図６のステップＳ１が実行される。
【００８９】
ステップＳ３０５において、コントローラ５０は排水指令を排水装置６０に送信する。排水装置６０は排水指令に基づいて排水を実行する。また、コントローラ５０は、保水時間の計測を停止する。ステップＳ３０５の次に、ステップＳ３０６が実行される。
【００９０】
ステップＳ３０６において、コントローラ５０は排水が完了しているか否かを判定する。排水が完了している場合、処理がステップＳ３０７に進み、排水が完了していない場合、処理がステップＳ３０５に戻る。
【００９１】
ステップＳ３０７において、計測装置としてのコントローラ５０は、保水時間をリセットし、０にする。ステップＳ３０７の次に、ステップＳ３０８が実行される。
【００９２】
ステップ３０８において、処理が終了する。ステップＳ３０８の次に最上位のフローの判定開始が実行される。冷房運転のオプションフローが最上位のフローである場合、ステップＳ３０８の次にステップＳ３０１が実行される。
【００９３】
外気温度の代わりに、日時が、冷房運転が実行されない時期を特定するためのパラメータとして設定されても良い。例えば、１０月１日が、冷房運転が実行されない時期における第１日時として設定される。この場合、図９のフローにおいて、変数の外気温度及び定数の第１外気温度γの代わりに、変数の日時及び定数の第１日時が採用される。上述したように、コントローラ５０は時計として機能し、日時が第１日時であるか否かを特定できる。
【００９４】
図１０は、温暖時のオプションフローを示すフロー図である。温暖時のオプションフローに基づいて、コントローラ５０は、外気温度が第２外気温度ε以上である場合に給水装置７０に給水を実行させる。第２外気温度εは、冷房運転が実行される時期における外気温度として設定されている。つまり、このフローは、冷房運転が実行されるような温暖な時期に、排水されたまま給水が行われていないタワー水回路２にタワー水を供給する。
【００９５】
ステップＳ４０１において処理が開始されると、ステップＳ４０２が実行される。
【００９６】
ステップＳ４０２において、コントローラ５０はタワー水回路２内にタワー水がないか否かを判定する。タワー水がない場合、処理がステップＳ４０３に進み、タワー水がある場合、処理がステップＳ４０９に進む。
【００９７】
ステップＳ４０３において、コントローラ５０は外気温度が第２外気温度ε以上であるか否かを判定する。外気温度が第２外気温度ε以上である場合、処理がステップＳ４０４に進み、外気温度が第２外気温度ε未満である場合、処理がステップＳ４０５に進む。
【００９８】
ステップＳ４０５において、コントローラ５０はクーリングタワー７の運転要求があるか否かを判定する。運転要求は、例えば、空調負荷率の大きさや省エネルギー用の設定が行われている場合に、発生する。クーリングタワー７の運転要求がある場合、処理がステップＳ４０４に進み、クーリングタワー７の運転要求がない場合、処理がステップＳ４０９に進む。
【００９９】
ステップＳ４０４において、コントローラ５０は、給水指令を給水装置７０（給水バルブ７３）に送信する。給水装置７０は給水指令に基づいて給水を実行する。ステップＳ４０４の次に、ステップＳ４０６が実行される。
【０１００】
ステップＳ４０６において、コントローラ５０は給水が完了しているか否かを判定する。給水が完了している場合、処理がステップＳ４０７に進み、給水が完了していない場合、処理がステップＳ４０４に戻る。
【０１０１】
ステップ４０７において、計測装置としてのコントローラ５０は、保水時間をリセットし、０にする。また、コントローラ５０は、保水時間の計測を再開する。ステップＳ４０７の次に、ステップＳ４０８が実行される。
【０１０２】
ステップＳ４０８は、基本フローの判定開始又は他のオプションフローの判定開始への移行を示している。例えば、ステップＳ４０８の次に、図６のステップＳ１が実行される。
【０１０３】
ステップ４０９において、処理が終了する。ステップＳ４０９の次に最上位のフローの判定開始が実行される。冷房運転のオプションフローが最上位のフローである場合、ステップＳ４０９の次にステップＳ４０１が実行される。
【０１０４】
外気温度の代わりに、日時が、冷房運転が実行される時期を特定するためのパラメータとして設定されても良い。例えば、４月１日が、冷房運転が実行される時期における第２日時として設定される。この場合、図１０のフローにおいて、変数の外気温度及び定数の第２外気温度εの代わりに、変数の日時及び定数の第２日時が採用される。
【０１０５】
図１１、１２は、実行フローと並行して実行される支援フローを示している。コントローラ５０は、実行フローを実行すると共に、支援フローを並行して実行する。支援フローによって得られる判定結果は、実行フローで利用される。
【０１０６】
図１１は、保水時間の支援フローを示すフロー図である。保水時間の支援フローに基づいて、コントローラ５０は、タワー水の水温度が所定水温度δ以上である場合のみ、保水時間の計測を計測装置（コントローラ５０）に行わせる。このため、水温度が所定水温度δの周辺で変動する場合、計測された保水時間は、実時間の計測によって得られる時間幅とは異なっている。所定水温度δは、例えば、レジオネラ菌の繁殖が発生する水温度の下限値として設定されている。つまり、このフローは、レジオネラ菌の繁殖が発生しにくい場合に、タワー水の入れ換えの実行頻度を低下させる。
【０１０７】
ステップＳ５０１において処理が開始されると、ステップＳ５０２が実行される。
【０１０８】
ステップＳ５０２において、コントローラ５０はタワー水の水温度が所定水温度δ以上であるか否かを判定する。水温センサ２５が水槽２１内の水温度を検出するので、コントローラ５０はタワー水の水温度を特定できる。水温度が所定水温度δ以上である場合、処理がステップＳ５０３に進む。水温度が所定水温度δ未満である場合、処理がステップＳ５０１に戻る。
【０１０９】
ステップ５０３において、コントローラ５０は保水時間を計測する。ステップ５０３の次に、ステップ５０４が実行される。
【０１１０】
ステップ５０４において、処理が終了する。ステップＳ５０４の次に、再びステップＳ５０１が実行される。
【０１１１】
図１２は、冷却運転の支援フローを示すフロー図である。上述したように、排水及び給水は、冷却運転が実行されてないときに実行される。ただし、排水の実行中に、冷却運転の実行が指令される場合がある。コントローラ５０（第２制御装置）は、冷却運転の支援フローに基づいて、冷却運転を実行するように指令された場合、排水及び給水が完了するまで冷却運転の実行を待機させる。
【０１１２】
ステップＳ６０１において処理が開始されると、ステップＳ６０２が実行される。
【０１１３】
ステップＳ６０２において、コントローラ５０は排水が実行中であるか否かを判定する。排水が実行中である場合、処理がステップＳ６０３に進む。排水が実行中ではない場合、処理がステップＳ６０７に進む。
【０１１４】
ステップＳ６０３において、コントローラ５０は冷却運転の開始指令が発生しているか否かを判定する。開始指令は、室内機のリモートコントローラ（操作装置５１）による冷房運転のＯＮ指令、指令された目標温度への追従制御において冷却能力を高めるための冷却運転の自動的な開始、及びタイマー等による停止指令によって、発生する。
【０１１５】
開始指令が発生している場合、処理がステップＳ６０４に進み、開始指令が発生していない場合、処理がステップＳ６０７に進む。
【０１１６】
ステップＳ６０４において、コントローラ５０はタワー水回路２に冷却運転の実行を待機させる。ステップＳ６０４の次に、ステップＳ６０５が実行される。
【０１１７】
ステップＳ６０５において、コントローラ５０は排水が完了したか否かを判定する。排水が完了している場合、処理がステップＳ６０６に進み、排水が完了していない場合、処理がステップＳ６０４に戻る。
【０１１８】
ステップＳ６０６において、コントローラ５０はタワー水回路２に冷却運転を実行させる。ステップＳ６０６の次に、ステップＳ６０７が実行される。
【０１１９】
ステップ６０７において、処理が終了する。ステップＳ６０７の次に、再びステップＳ６０１が実行される。
【０１２０】
（第２実施形態の構成）
図１３を参照して、第２実施形態に係る空調機を説明する。図１３は、排水装置６０及び給水装置７０の構成図である。排水装置６０及び給水装置７０の構成が、第１実施形態と第２実施形態との間で異なっている。他の点は、第１実施形態と第２実施形態との間で同一である。
【０１２１】
図１３において、排水装置６０及び給水装置７０は、図４に示されるフロートスイッチ７４及びタイマー６５の代わりに、第１水位センサ８１及び第２水位センサ８２を備えている。第１水位センサ８１及び第２水位センサ８２は、水面高さを検出する検出装置を構成しており、この検出装置は排水装置６０及び給水装置７０において共用されている。排水装置６０及び給水装置７０について、他の点は、第１実施形態と第２実施形態との間で同一である。
【０１２２】
第１水位センサ８１は、水面高さが所定高さＨ以下であるか否かを検出する検出器である。第２水位センサ８２は、水面高さが０であるか否かを検出する検出器である。上述したように、所定高さＨ及び高さ０は、水槽２１の底面からの高さを示している。
【０１２３】
タワー水の蒸発に対する補給は次のように行われている。タワー水の減少により水面高さが所定高さＨよりも低下すると、第１水位センサ８１は不足信号をコントローラ５０に送信する。コントローラ５０は、不足信号を受信している間、給水指令を給水バルブ７３に送信する。給水バルブ７３は通常給水経路７１を閉鎖しているが、給水指令が入力されている間給水経路７１を開放する。この結果、水面高さが所定高さＨに保たれるように、タワー水が自動的に補給される。
【０１２４】
排水は次のように行われる。コントローラ５０は排水の実行を決定すると、排水バルブ６３に排水指令を送信する。排水バルブ６３は通常排水経路６１を閉鎖しているが、排水指令に基づいて排水経路６１を開放する。排水によって水面高さが低下すると、第１水位センサ８１が不足信号をコントローラ５０に送信し、次に第２水位センサ８２が不足信号をコントローラ５０に送信する。コントローラ５０が第１水位センサ８１及び第２水位センサ８２の双方から不足信号を受信すると、コントローラ５０は排水指令の送信を停止する。このため、排水が終了すると、排水バルブ６３は再び排水経路６１を閉鎖する。
【０１２５】
コントローラ５０が排水指令を送信してから一定時間が経過しても、第１水位センサ８１がコントローラ５０に不足信号を送信しない場合、コントローラ５０は排水の異常を検出する。排水の異常は、例えば、ゴミなどの固形物によるストレーナー６４の詰まりを意味する。
【０１２６】
排水の実行により水面高さが下降する。排水の場合、水面高さの下降に応じて自動的に給水が実行されることは望ましくない。このため、コントローラ５０は、排水の実行中、第１水位センサ８１から送信される不足信号を受信しても無視し、給水指令を給水バルブ７３に送信しない。ここで、コントローラ５０は、排水バルブ６３の作動状態に基づいて、排水の実行中及び排水の完了を認識できる。
【０１２７】
給水は次のように行われる。コントローラ５０は給水の実行を決定すると、給水バルブ７３に給水指令を送信する。コントローラ５０は給水の実行を決定すると、第１水位センサ８１からの不足信号を無視することを取り消す。次に、コントローラ５０は、不足信号が発生している間、給水指令を給水バルブ７３に送信する。給水バルブ７３は給水指令に基づいて、水槽２１に全水量が供給されるまで給水経路７１を開放する。給水が完了すると、不足信号が消失し、コントローラ５０は給水指令を作成しない。このため、給水バルブ７３は再び給水経路７１を閉鎖する。
【０１２８】
コントローラ５０が給水指令を送信してから一定時間が経過しても、第１水位センサ８１がコントローラ５０に不足信号を送信しない場合、コントローラ５０は給水の異常を検出する。給水の異常は、例えば、水槽２１からのタワー水の漏洩を意味する。漏洩の原因は、例えば、排水バルブ６３の故障や水槽２１のひび割れである。
【０１２９】
（本実施形態の効果）
本実施形態に係る空調機は、上述の構成により、次の効果を有する。
【０１３０】
（１）第１、２実施形態に係る空調機は、タワー水回路２、冷媒回路１、タワー水−冷媒熱交換器（ＴＲ熱交換器４）、計測装置（コントローラ５０）、排水装置６０、給水装置７０、及び第１制御装置（コントローラ５０）を備えている。第１制御装置は、排水装置６０に排水を実行させると共に、給水装置７０に給水を実行させる。排水は、保水時間が第１保水時間以上になっており且つ冷媒回路が冷房運転を実行していない場合に、又は保水時間が第２保水時間以上になっている場合に、実行される。給水は、排水の実行後に実行される。
【０１３１】
このため、第１、２実施形態に係る空調機は、クーリングタワー７のタワー水を入れ換えることにより、タワー水におけるレジオネラ菌の繁殖を防止できる。
【０１３２】
（２）第１、２実施形態に係る空調機は、外気温度を検出する外気温度検出器（気温センサ８）及び／又は日時を認識する時計（コントローラ５０）を更に備えている。冷房運転が行われない時期（第１日時又は第１外気温度）に、排水のみが実行され且つ給水の実行が保留される。冷房運転が行われる時期（第２日時又は第２外気温度）に、給水が実行される。
【０１３３】
このため、第１、２実施形態に係る空調機は、タワー水が不要な時期に、タワー水を殺菌するための作業を行うことを防止できる。
【０１３４】
（３）第１、２実施形態に係る空調機において、冷房負荷率が所定冷房負荷率よりも大きいときは、保水時間が第２保水時間以上になるまで排水の実行が待機される。
【０１３５】
冷房負荷率が大きい場合は、空調機が冷媒の冷却能力を必要としている場合であり、クーリングタワー７が使用されている場合又はその使用が要求される場合である。このため、第１、２実施形態に係る空調機は、レジオネラ菌の繁殖を防止しながら、冷房能力が必要とされるときに冷房能力の低下を防止できる。
【０１３６】
（４）第１、２実施形態に係る空調機は、水温度検出器（水温センサ２５）を更に備えている。水温度が所定水温度未満であるときは、計測装置（コントローラ５０）は保水時間の計測を中断する。
【０１３７】
タワー水の水温度が低いほど、タワー水内に雑菌が繁殖しにくい。このため、第１、２実施形態に係る空調機は、タワー水の入れ換えの実行自体又は実行頻度を抑制できる。例えば、所定水温度がレジオネラ菌の繁殖が発生しない水温度に設定されている場合、この空調機は、レジオネラ菌の繁殖が不活性である時期にタワー水の入れ換えを抑制できる。
【０１３８】
（５）第１、２実施形態に係る空調機は、冷却運転をタワー水回路２に実行させ且つ停止させる第２制御装置（コントローラ５０）を更に備えている。排水の実行中に冷房運転を実行するように第２制御装置が指令された場合、給水が完了するまで冷却運転の実行が待機され、給水の完了後に冷却運転が実行される。
【０１３９】
冷房運転の実行に伴って冷却運転が開始され、タワー水の入れ換えが中断されることが防止されている。このため、第１、２実施形態に係る空調機は、冷房運転が開始された場合であっても確実にタワー水の入れ換えを実行できる。
【符号の説明】
【０１４０】
１  冷媒回路
２  タワー水回路
８  気温センサ（外気温度検出器）
２５  水温センサ（水温度検出器）
５０  コントローラ（計測装置、第１制御装置、時計、第２制御装置）
６０  排水装置
７０  給水装置
【図１】
2013178022.tif 000003
【図２】
2013178022.tif 000004
【図３】
2013178022.tif 000005
【図４】
2013178022.tif 000006
【図５】
2013178022.tif 000007
【図６】
2013178022.tif 000008
【図７】
2013178022.tif 000009
【図８】
2013178022.tif 000010
【図９】
2013178022.tif 000011
【図１０】
2013178022.tif 000012
【図１１】
2013178022.tif 000013
【図１２】
2013178022.tif 000014
【図１３】
2013178022.tif 000015